(57)【特許請求の範囲】
【請求項１】
放物面状の反射面を有するとともに、前記反射面の中央部に装着受筒部を設けたコールドミラーと、
光源であるＬＥＤと、
前記ＬＥＤを搭載するために、一面にＬＥＤ取付面を有するとともに、他面側に放熱部を具備するＬＥＤ取付部材と、
前記ＬＥＤを覆う状態でＬＥＤ取付部材のＬＥＤ取付面に密接固定されるスリット板と、
前記ＬＥＤ取付部材が固定される装着筒体部と、
を具備し、
前記装着筒体部を前記コールドミラーの装着受筒部に着脱可能に装着し、
前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を照明するように構成したことを特徴とするオペレーティングライトの光源部。
【請求項２】
放物面状の反射面を有するとともに、前記反射面の中央部に装着受筒部を設けたコールドミラーと、
一面にＬＥＤ取付面を有するとともに、他面側に放熱部を固定した取付基部、及び、この取付基部の外周部から一面側に突設した少なくとも一対の取付片を具備するＬＥＤ取付部材と、前記ＬＥＤ取付面に密接固定されるととともに、光源であるＬＥＤを搭載したＬＥＤモジュールと、ＬＥＤ光通過用の任意形状のスリットを備え、前記ＬＥＤモジュールを覆う状態でＬＥＤ取付部材のＬＥＤ取付面に密接固定されるスリット板と、前記ＬＥＤ取付部材における少なくとも一対の取付片の突出端側が固定される装着筒体部と、を具備し、前記装着筒体部を前記コールドミラーの装着受筒部に着脱可能に装着し、前記ＬＥＤモジュールのＬＥＤを前記反射面に対向配置とするＬＥＤ支持ユニットと、
を有し、
前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を照明するように構成したことを特徴とするオペレーティングライトの光源部。
【請求項３】
放物面状の反射面を有するとともに、前記反射面の中央部に装着受筒部を設けたコールドミラーと、
一面にＬＥＤ取付面を有するとともに、他面側に放熱部を固定した取付基部、及び、この取付基部の外周部から一面側に突設した少なくとも一対の取付片を具備する熱伝導率の高い素材からなるＬＥＤ取付部材と、前記ＬＥＤ取付面に密接固定されるととともに、光源であるＬＥＤを搭載したＬＥＤモジュールと、ＬＥＤ光通過用の任意形状のスリットを備え、前記ＬＥＤモジュールを覆う状態でＬＥＤ取付部材のＬＥＤ取付面に密接固定される熱伝導率の高い素材からなるスリット板と、前記ＬＥＤ取付部材における少なくとも一対の取付片の突出端側が固定される角筒体及びこの角筒体と一体の円筒体を連設した装着筒体部と、を具備し、前記装着筒体部を前記コールドミラーの装着受筒部に着脱可能に装着し、前記ＬＥＤモジュールのＬＥＤが前記反射面の焦点位置を占める状態の基に前記反射面に対向配置とするＬＥＤ支持ユニットと、
を有し、
前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を照明するとともに、前記ＬＥＤモジュールが放散する熱をスリット板、ＬＥＤ取付部材を経て放熱部に伝導し放熱するように構成したことを特徴とするオペレーティングライトの光源部。
【請求項４】
放物面状で単層膜構造のコーティングを施した反射面を有するとともに、前記反射面の中央部に装着受筒部を設けたコールドミラーと、
一面にＬＥＤ取付面を有するとともに、他面側に放熱部を固定した取付基部、及び、この取付基部の外周部から一面側に突設した少なくとも一対の取付片を具備する熱伝導率の高い素材からなるＬＥＤ取付部材と、前記ＬＥＤ取付面に密接固定されるととともに、光源であるＬＥＤを搭載した色温度変更可能なＬＥＤモジュールと、ＬＥＤ光通過用の任意形状のスリットを備え、前記ＬＥＤモジュールを覆う状態でＬＥＤ取付部材のＬＥＤ取付面に密接固定される熱伝導率の高い素材からなるスリット板と、前記ＬＥＤ取付部材における少なくとも一対の取付片の突出端側が固定される角筒体及びこの角筒体と一体の円筒体を連設した装着筒体部と、を具備し、前記装着筒体部を前記コールドミラーの装着受筒部に着脱可能に装着し、前記ＬＥＤモジュールのＬＥＤが前記反射面の焦点位置を占める状態の基に前記反射面に対向配置とするＬＥＤ支持ユニットと、
を有し、
前記ＬＥＤからのＬＥＤ光を前記スリット板の任意形状のスリットを経て前記コールドミラーの反射面に照射し、反射させることで、前記任意形状のスリットに対応した任意形状の照射パターンにより、かつ、前記ＬＥＤからの所望の色温度に設定したＬＥＤ光を前記スリット板の任意形状のスリットを経て前記コールドミラーの反射面に照射し、反射させることで、前記任意形状のスリットに対応した任意形状の照射パターンにより対象物を照明するとともに、前記ＬＥＤモジュールが放散する熱をスリット板、ＬＥＤ取付部材を経て放熱部に伝導し放熱するように構成したことを特徴とするオペレーティングライトの光源部。
【請求項５】
放物面状で単層膜構造のコーティングを施した反射面を有するとともに、前記反射面の中央部に装着受筒部を設けたコールドミラーと、
一面にＬＥＤ取付面を有するとともに、他面側に放熱部を固定した取付基部、及び、この取付基部の外周部から一面側に突設した少なくとも一対の取付片を具備する熱伝導率の高い素材からなるＬＥＤ取付部材と、演色性の異なる複数のＬＥＤモジュールのなかから選定されるとともに、前記ＬＥＤ取付面に密接固定されるＬＥＤモジュールと、ＬＥＤ光通過用の任意形状のスリットを備え、前記ＬＥＤモジュールを覆う状態でＬＥＤ取付部材のＬＥＤ取付面に密接固定される熱伝導率の高い素材からなるスリット板と、前記ＬＥＤ取付部材における少なくとも一対の取付片の突出端側が固定される角筒体及びこの角筒体と一体の円筒体を連設した装着筒体部と、を具備し、前記装着筒体部を前記コールドミラーの装着受筒部に着脱可能に装着し、前記ＬＥＤモジュールのＬＥＤが前記反射面の焦点位置を占める状態の基に前記反射面に対向配置とするＬＥＤ支持ユニットと、
を有し、
前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を演色性の異なる状態となるように照明可能とするとともに、前記ＬＥＤモジュールが放散する熱をスリット板、ＬＥＤ取付部材を経て放熱部に伝導し放熱するように構成したことを特徴とするオペレーティングライトの光源部。
【発明の詳細な説明】
【技術分野】
【０００１】
本発明はオペレーティングライト（無影灯）の光源部に関し、詳しくは、例えば歯科診療における診療室全体照射と同時に、患者の口腔内及び口腔周辺を適正に照射し、明視野を保つために使用されるオペレーティングライト（無影灯）の光源部に関するものである。
【背景技術】
【０００２】
従来のオペレーティングライトは、通常、光源部とこれを支持するアーム部から成り、光源部については、主に小型で明るいハロゲンランプが用いられ、当該ハロゲンランプの直射光線が患者や術者の目に入らないように前面に電球カバー（遮蔽カバー）を設け、後方に出る光線をリフレクタ（反射鏡）で反射させる構成のものが一般的である。
【０００３】
そして、前記リフレクタ（コールドミラー）は、集光や無影効果を計算した特殊な放射線曲面と波状曲線の組み合わせにより、可視光線の約９０％を反射し、また、自然光に近づけ、放射熱を除くためリフレクタの表面又は裏面に赤外線を透過又は吸収する特殊コーティングを施して構成されている。
【０００４】
かかる光源部を支持するアーム部は、水平アームとバランスアーム（スプリングバランスの上下可動アーム）及び数個の関節により構成され、前記光源部を適当な位置に移動でき、しかもその位置でしっかりと静止できるように構成されている。尚、光源部の取付部は、首振り金具で、照明方向が変えられるように構成されている。
【０００５】
さらに、歯科診療室におけるオペレーティングライトには、ユニットマウント式、天井（壁）吊下げ式、天井つり下げ走行式、天井埋め込み式、自立式、床移動式のもの等が広く使用されている。
【０００６】
本発明のオペレーティングライトに関する要部に係る公知文献の一例としては、本願出願人が先に開発提案した歯科用無影灯（特許文献１）を挙げることができる。
【０００７】
特許文献１の歯科用無影灯は、凹面状の反射鏡と、反射鏡の光軸の延長線上に配置されるとともに光源であるハロゲンランを光軸の向にのみ摺動可能に支持したスリーブ及び摺動部材と、を有し、反射鏡の焦点位置とハロゲンランプの位置とを調整可能としたものである。
【０００８】
前記したように一般に使用されるオペレーティングライトの光源部については、ハロゲンランプとコールドミラーとの組み合わせの構成によるものであり、コールドミラーについては、特殊な放射線曲面と波状曲線の組み合わせによる反射作用が要求されるとともに放射熱を除くための表面又は裏面に赤外線を透過させるための特殊なコーティング膜が要求される。
【０００９】
しかも、任意の色温度にする場合、コーティング膜を多層膜により形成する必要があり、全体として高額なものとなるという問題点を有している。
【先行技術文献】
【特許文献】
【００１０】
【特許文献１】実公昭５７-４９６２号公報
【発明の概要】
【発明が解決しようとする課題】
【００１１】
本発明は、上述した従来の光源部における問題点を解決すべく開発されたもので、前記光源部としてハロゲンランプに換えて、ＬＥＤを用いる構成とするとともに、ＬＥＤを用いるに当たり、ＬＥＤ発光面にスリットを配置し、ＬＥＤ光の光束を制限することにより、対象物に対する任意の照射パターンを得ることができ、かつ、安価な材料により光源部を構成できることを知見し、本発明を想到したものである。
すなわち、本発明は、光源としてＬＥＤを用い、安価な構成の基に対象物に対する任意の照射パターンを得ることのできるオペレーティングライトの光源部の提供を目的とするものである。
【課題を解決するための手段】
【００１２】
本発明のオペレーティングライトの光源部は、放物面状の反射面を有するとともに、前記反射面の中央部に装着受筒部を設けたコールドミラーと、光源であるＬＥＤと、前記ＬＥＤを搭載するために、一面にＬＥＤ取付面を有するとともに、他面側に放熱部を具備するＬＥＤ取付部材と、前記ＬＥＤを覆う状態でＬＥＤ取付部材のＬＥＤ取付面に密接固定されるスリット板と、前記ＬＥＤ取付部材が固定される装着筒体部と、を具備し、前記装着筒体部を前記コールドミラーの装着受筒部に着脱可能に装着し、前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を照明するように構成したことを最も主要な特徴とする。
【００１３】
尚、本発明及び後述する実施例において、コールドミラーとは、放物面状の反射面を有するリフレクタを意味するものと定義する。ここに、放物面状とは、放物面に限定されるものではなく、略放物面、略球面（凹面）など１点から出た光を略平行にする面を有する状態であり、例えば放射線曲面と波状曲線の組み合わせを考慮した曲面等が含まれる概念である。
【発明の効果】
【００１４】
請求項１記載の発明によれば、光源部としてＬＥＤモジュールを用いる構成とするとともに、ＬＥＤ発光面に任意形状のスリットを有するスリット板を配置し、ＬＥＤ光の光束を制限しつつコールドミラーの反射面に照射し、反射させることで、安価な構成の基に任意形状のスリットに対応した任意形状の照射パターンにより対象物を照明することができるオペレーティングライトの光源部を提供することができる。
【００１５】
請求項２記載の発明によれば、放物面状の反射面を有するとともに、前記反射面の中央部に装着受筒部を設けたコールドミラーと、一面にＬＥＤ取付面を有するとともに、他面側に放熱部を固定した取付基部、及び、この取付基部の外周部から一面側に突設した少なくとも一対の取付片を具備するＬＥＤ取付部材と、前記ＬＥＤ取付面に密接固定されるととともに、光源であるＬＥＤを搭載したＬＥＤモジュールと、ＬＥＤ光通過用の任意形状のスリットを備え、前記ＬＥＤモジュールを覆う状態でＬＥＤ取付部材のＬＥＤ取付面に密接固定されるスリット板と、前記ＬＥＤ取付部材における少なくとも一対の取付片の突出端側が固定される装着筒体部と、を具備し、前記装着筒体部を前記コールドミラーの装着受筒部に着脱可能に装着し、前記ＬＥＤモジュールのＬＥＤを前記反射面に対向配置とするＬＥＤ支持ユニットと、を有する構成とし、スリット板のスリットによりＬＥＤ光の光束を制限しつつコールドミラーの反射面に照射し、反射させることで、安価な構成の基に任意形状のスリットに対応した任意形状の照射パターンにより対象物を照明することができるオペレーティングライトの光源部を提供することができる。
【００１６】
請求項３記載の発明によれば、請求項２記載の発明と同様な効果を奏するとともに、ＬＥＤモジュールが放散する熱をスリット板、ＬＥＤ取付部材を経て放熱部に伝導し放熱するように構成しているので、ＬＥＤモジュールから放散される熱の放熱特性も良好なオペレーティングライトの光源部を提供することができる。
【００１７】
請求項４記載の発明によれば、請求項３記載の発明と同様な効果を奏するとともに、所望の色温度に設定したＬＥＤ光を使用する構成としているので、コールドミラーの反射面を安価な単層膜構造とすることができ、より低価格に構成できるオペレーティングライトの光源部を提供することができる。
【００１８】
請求項５記載の発明によれば、請求項４記載の発明と同様な効果を奏するとともに、ＬＥＤモジュールを演色性の異なる複数のＬＥＤモジュールのなかから選定する構成としているので、対象物を演色性の異なる状態となるように照明可能とすることができるオペレーティングライトの光源部を提供することができる。
【図面の簡単な説明】
【００１９】
【図１】図１は本発明の実施例に係るオペレーティングライトの光源部の概略斜視図である。
【図２】図２は本実施例に係るオペレーティングライトの光源部の概略分解斜視図である。
【図３】図３は本実施例に係るオペレーティングライトの光源部の図２の場合とは異なる角度から見た概略分解斜視図である。
【図４】図４は本実施例に係るオペレーティングライトの光源部にミラー取付部材を取り付けた状態の概略分解斜視図である。
【図５】図５は本発明の実施例に係るオペレーティングライトの光源部におけるＬＥＤモジュール、ＬＥＤ取付部材、放熱部を示す概略斜視図である。
【図６】図６は本発明の実施例に係るオペレーティングライトの光源部におけるＬＥＤ支持ユニットを示す概略斜視図である。
【発明を実施するための形態】
【００２０】
本発明は、光源としてＬＥＤを用い、安価な構成の基に対象物に対する任意の照射パターンを得ることができ、さらには放熱特性も良好なオペレーティングライトの光源部を提供するという目的を、放物面状の反射面を有するとともに、前記反射面の中央部に装着受筒部を設けたコールドミラーと、一面にＬＥＤ取付面を有するとともに、他面側に放熱部を固定した取付基部、及び、この取付基部の外周部から一面側に突設した少なくとも一対の取付片を具備する熱伝導率の高い素材からなるＬＥＤ取付部材と、前記ＬＥＤ取付面に密接固定されるととともに、光源であるＬＥＤを搭載したＬＥＤモジュールと、ＬＥＤ光通過用の任意形状のスリットを備え、前記ＬＥＤモジュールを覆う状態でＬＥＤ取付部材のＬＥＤ取付面に密接固定される熱伝導率の高い素材からなるスリット板と、前記ＬＥＤ取付部材における少なくとも一対の取付片の突出端側が固定される角筒体及びこの角筒体と一体の円筒体を連設した装着筒体部と、を具備し、前記装着筒体部を前記コールドミラーの装着受筒部に着脱可能に装着し、前記ＬＥＤモジュールのＬＥＤが前記反射面の焦点位置を占める状態の基に前記反射面に対向配置とするＬＥＤ支持ユニットと、を有し、前記ＬＥＤからのＬＥＤ光を前記スリット板の任意形状のスリットを経て前記コールドミラーの反射面に照射し、反射させることで、前記任意形状のスリットに対応した任意形状の照射パターンにより対象物を照明するとともに、前記ＬＥＤモジュールが放散する熱をスリット板、ＬＥＤ取付部材を経て放熱部に伝導し放熱する構成により実現した。
【実施例１】
【００２１】
以下に本発明の実施例に係るオペレーティングライトの光源部について詳細に説明する。
【００２２】
本実施例に係るオペレーティングライトの光源部１は、図１乃至図４に示すように、放物面状（放射線曲面と波状曲線の組み合わせを考慮したもの）の反射面２ａを有するとともに、前記反射面２ａの中央部（最深部）を後方に貫くように装着受筒部３を設けたコールドミラー２と、このコールドミラー２の装着受筒部３に着脱可能に装着されるＬＥＤ（Ｌｉｇｈｔ  Ｅｍｉｔｔｉｎｇ  Ｄｉｏｄｅ）支持ユニット１１とを有している。
【００２３】
前記コールドミラー２の反射面２ａには、アルミニューム又は銀等の金属蒸着による単層膜のコーティングを施している。
【００２４】
前記ＬＥＤ支持ユニット１１は、一面に平坦なＬＥＤ取付面１５を有するとともに、他面に外形を略円柱状とした放熱部（放熱フィン）３０を固定した円板状の取付基部１３、及び、この取付基部１３の外周部から一面側上方に突設した一対の取付片１４、１４を具備する熱伝導率の高いアルミニューム、銅等を素材とするＬＥＤ取付部材１２と、表面実装型のＬＥＤ（例えば、一般照明用白色パワーＬＥＤ）１８を基板（基台）１７（パッケージヒートシンク部）に配置し、前記ＬＥＤ取付面１５に密接固定されるＬＥＤモジュール１６と、ＬＥＤ光通過用の任意形状のスリット２０を備え、前記ＬＥＤモジュール１６を覆う状態でＬＥＤ取付部材１２のＬＥＤ取付面１５に固着される熱伝導率の高いアルミニューム、銅等を素材とするスリット板１９と、前記ＬＥＤ取付部材１２における一対の取付片１４、１４の突出端側がねじ止め固定されるとともに前記コールドミラー２の装着受筒部３に着脱可能に装着される角筒体２３及びこの角筒体２３と一体の円筒体２４を連設した装着筒体部２２と、を有している。
【００２５】
尚、前記ＬＥＤ取付部材１２における取付片１４としては、一対（２個）構造に限定されるものではなく、取付基部１３の外周部から一面側上方に３個、４個、６個等さらに多数の取付片１４を突設し、これらを角筒体２３にねじ止め固定する構造とすることも可能である。
また、前記コールドミラー２の装着受筒部３、前記装着筒体部２２の外側形状や内側形状は、上述したような円筒に限定されるものではなく、角筒形状であってもよく、また、中空形状でなく円柱形状や角柱形状に構成することもでき、種々の変形実施が可能である。
【００２６】
前記ＬＥＤモジュール１６としては、詳細は後述するが、ＲＧＢタイプのＬＥＤモジュール、銭形ＬＥＤモジュール（シャープ（株）：ＧＷ６ＴＧＣＢＧ４ＦＤ）、又は、演色性の異なるＬＥＤモジュール等を使用する。
【００２７】
前記スリット板１９の裏面側には、図２に示すように、前記ＬＥＤモジュール１６が収納できる凹部２１を例えば座ぐりにより形成している。また、前記スリット板１９は、熱伝導率の高い例えばアルミニューム、銅等で製作している。
【００２８】
ここで、前記ＬＥＤ支持ユニット１１の具体的構造及びＬＥＤ支持ユニット１１のコールドミラー２に対する取り付け構造について説明する。
【００２９】
前記放熱部３０を固定したＬＥＤ取付部材１２の取付基部１３には、前記ＬＥＤモジュール１６を取り付けるための２個のビス孔１３ａ、１３ａと、前記スリット板１９を取り付けるための２個のビス孔１３ｂ、１３ｂとが設けられている。
【００３０】
まず、前記ＬＥＤ取付面１５に対して前記ＬＥＤモジュール１６を密接させ、基板１７の外周部に対角配置に設けた２個の凹部１７ａ、１７ａの部分から２個のビス２５を用いてＬＥＤ取付面１５の対応する２個のビス孔１３ａ、１３ａに前記各ビス２５をねじ込み、前記ＬＥＤモジュール１６をＬＥＤ取付面１５に密接固定する。
【００３１】
次に、前記スリット板１９によりＬＥＤモジュール１６を覆うようにしてこのスリット板１９に対角配置に設けた２個のビス挿通孔１９ａ、１９ａに２個のビス２６を挿入し、ＬＥＤ取付面１５に設けたスリット板１９用の２個のビス孔１３ｂ、１３ｂに前記２個のビス２６をねじ込み、前記スリット板１９をＬＥＤ取付面１５に固着する。
【００３２】
前記スリット板１９に設けられた他の２つの孔１９ｂ、１９ｂは、前記ＬＥＤモジュール１６を取り付けたときに使用したビス２５のビス頭を逃がす（収容する）ためのものである。
【００３３】
次に、前記ＬＥＤ取付部材１２の一対の取付片１４、１４を前記装着筒体部２２に取り付ける。
【００３４】
すなわち、ＬＥＤ取付部材１２の一対の取付片１４、１４の突出端側に設けた取付孔１４ａに各々２本のビスを挿通し、
【００３５】
さらに２本のビスを前記装着筒体部２２を構成する角筒体２３の両サイドに開けられたビス孔にねじ込むことにより、前記ＬＥＤ取付部材１２と装着筒体部２２とを一体化する。
そして、前記装着筒体部２２の円筒体２４を前記コールドミラー２の装着受筒部３に装着し、かつ、コールドミラー２の外面側に図４に示すミラー取付部材３１を配置して、側面からホーローセットで締め付けることによって、ＬＥＤ支持ユニット１１と前記コールドミラー２とを一体化する。
【００３６】
前記ＬＥＤ支持ユニット１１のＬＥＤモジュール１６に対する給電系は、ＬＥＤモジュール１６に接続した配線材を前記取付片１４、１４の内面側に設けた溝を這わせ、装着筒体部２２の穴を通して外部に導出し、電源部に接続することで構成するが、これらについては図示省略する。
【００３７】
次に、上述した構成からなる本実施例に係るオペレーティングライトの光源部１の作用、効果について説明する。
【００３８】
本実施例に係るオペレーティングライトの光源部１によれば、前記スリット板１９のスリット２０を通過したＬＥＤ１８からのＬＥＤ光は、前記スリット２０により光束が制限された状態で前記コールドミラー２の反射面２ａに照射され、反射されて前記スリット２０の形状に対応した形状の照射パターンを形成して対象物（例えば歯科診療における診療室内、患者の口腔内等）を照明する。
【００３９】
従来例のようにハロゲンラン球を使用した場合は、ハロゲンランプからの光をコールドミラーで集光するため、ほとんどの光束が熱量になり、コールドミラーは熱を裏面から逃がすための特殊な多層膜のコーティングを使用した構造が必要となるが、本実施例の場合においては、もともとＬＥＤモジュール１６におけるＬＥＤ１８の消費電力は、ハロゲンランプに比較して小さく、熱になる赤外線成分の波長が少ないため効率的に光を集光して所望の照射パターンを得ることが可能となる。
【００４０】
この場合、工場出荷時に所望の照射パターンを選択できるようにするためには、前記スリット２０の形状の異なる、或いはスリット２０の穴サイズの異なるスリット板１９のなかから、工場出荷仕様（予めユーザ希望の仕様にする）に合わせて取り付ける。
【００４１】
また、ユーザサイドで交換する場合は、ＬＥＤモジュール１６、放熱部３０等が組込まれた状態の装着筒体部２２ごと交換する。この際には、コールドミラー２を挟むナット（図示せず）の取り外し及び締め付けによる交換となる。
【００４２】
本実施例に係るオペレーティングライトの光源部１によれば、前記スリット板１９のスリット２０の形状を変化させることで照射パターンの形状を変えることができるが、例えばその形状がワイド形状であれば、オペレーティングライトを使用して歯の治療を行う際に、患者の頭（口腔）を左右上下に移動した状態でも照射野の範囲で治療を行うことが可能となる。このように患者の頭を動かしながらの治療を得意とするドクターもいる。
【００４３】
また、歯科治療にはデンタルミラーを使って治療を行う（歯科用語でミラーテクニックという）治療が得意のドクターもいる。
【００４４】
このような場合、照射パターンをワイドにする必要はなく必要最小限の照射パターンの形状にすることで、術者が眩しくないようにすることができ、さらに、患者に与える熱量も抑えることが可能となる。
【００４５】
次に、本実施例に係るオペレーティングライトの光源部１の放熱作用について説明すると、前記ＬＥＤ取付部材１２、スリット板１９を各々熱伝導率の高いアルミニューム、銅等により形成しているので、前記ＬＥＤモジュール１６の裏面とＬＥＤ取付部材１２のＬＥＤ取付面１５、及び、スリット板１９の裏面の座ぐっていない面とＬＥＤ取付面１５が、各々密着して固定されているため、ＬＥＤモジュール１６の裏面からの熱はＬＥＤ取付面１５を経て放熱部３０に伝わり放散し、また、ＬＥＤモジュール１６の表面からの熱のうちスリット板１９のスリット２０を抜けない光の熱は、スリット板１９によって熱伝導しＬＥＤ取付面１５を経由して放熱部３０に伝わり放散する。
【００４６】
これにより、別途冷却ファン等を配置しなくても光源部１における前記ＬＥＤモジュール１６から放散されるの熱の放熱効果を高めることができ、この点からも前記光源部１を安価な構造とすることができる。
【００４７】
次に、本実施例に係るオペレーティングライトの光源部１におけるＬＥＤモジュール１６として、ＲＧＢタイプのＬＥＤモジュールを使用した場合について説明する。
【００４８】
ＲＧＢタイプのＬＥＤモジュールは、フルカラーＬＥＤモジュールとも称され、赤色・緑色・青色を発光する３つのＬＥＤが一つのパッケージに封印されたもので、３つのＬＥＤの明るさを変えることで無限の色を表示できる。
【００４９】
例えば、２色以上の光が重なると別の色になり、明るい赤色・緑色・青色の３つの光が重なると白色になり、さらに、赤色・緑色・青色の３色を同じだけ暗くすると、中心の白は灰色に変わって行く。
【００５０】
さらに、前記ＬＥＤモジュール１６として、例えば銭形ＬＥＤ（シャープ（株）：ＧＷ６ＴＧＣＢＧ４ＦＤ）を使用することもできる。
【００５１】
これは、ＲＧＢタイプではないが、調色機能を持つ照明用ＬＥＤモジュールであり、１枚のセラミック基板上に青色のＬＥＤチップを高密度で実装し、暖色系の蛍光体と寒色系の蛍光体が縞状になるように配置し、暖色系と寒色系の２色の光を混色させることで、調光機能を実現したものである。
【００５２】
このような色温度変更可能なＬＥＤモジュール１６を使用し、光源部１を実際に使用する際にＬＥＤモジュール１６の色温度を適切に設定する（色温度の低い暖色系から色温度の高い寒色系の間で適切に設定する）ことで、前記コールドミラー２の反射面２ａを高価な多層膜コーティングが不要な単層膜構造とすることができる。
【００５３】
また、本実施例に係るオペレーティングライトの光源部１におけるＬＥＤモジュール１６として演色性の異なるものを使用する場合としては、例えばシチズン電子、ＣＬ−Ｌ２３４Ａ（演色性８５）、Ｌ−２３３（演色性９０）等のようなグレードの異なるもののなかから選定したＬＥＤモジュール１６を使用する例を挙げることができる。
【００５４】
このように、ＬＥＤモジュールのグレードを変えることで、対象物の演色性を変えることが可能となる。
【００５５】
ここに、演色性とは、太陽光と比較して物を見たときに、色の見え方を表現する用語であり、例えば、太陽光に似た色の見え方をする照明ランプを「演色性の良い（高い）ランプ」と称している。
【００５６】
尚、前記コールドミラー２の反射面２ａには、屈折率が異なる物質、例えばチタン、シリカ等の組み合わせで、多層膜（例えば１５層）コーティングを施した構造とすることもできる。
【００５７】
この場合には、多層膜を構成する薄膜の干渉効果によってより効率よく目に見える可視光線を反射し、熱線と呼ばれる赤外線を透過させることが可能となり、これにより、熱を持たない光だけを前記コールドミラー２の反射面２ａで反射し、対象物に照射することができ、対象物の温度上昇をより抑えることが可能となる。
【産業上の利用可能性】
【００５８】
本発明に係るオペレーティングライトの光源部は、上述したような歯科診療の分野の照明手段として適用するのみならず、医療分野全般における照明灯、手術灯等として広範に適用可能である。
【符号の説明】
【００５９】
１    光源部
２    コールドミラー
２ａ  反射面
３    装着受筒部
１１    ＬＥＤ支持ユニット
１２    ＬＥＤ取付部材
１３    取付基部
１３ａ  ビス孔
１３ｂ  ビス孔
１４    取付片
１４ａ  取付孔
１５    ＬＥＤ取付面
１６    ＬＥＤモジュール
１７    基板
１７ａ  凹部
１８    ＬＥＤ
１９    スリット板
１９ａ  ビス挿通孔
１９ｂ  孔
２０    スリット
２１    凹部
２２    装着筒体部
２３    角筒体
２４    円筒体
２５    ビス
２６    ビス
３０    放熱部
３１    ミラー取付部材
【図１】
0005487263.tif 000002
【図２】
0005487263.tif 000003
【図３】
0005487263.tif 000004
【図４】
0005487263.tif 000005
【図５】
0005487263.tif 000006
【図６】
0005487263.tif 000007